(57)【特許請求の範囲】
【請求項１】
プリンタ部により印刷された記録紙を機器本体の外部に排出する記録紙排出部に対応する位置に回転自在に設けられ、前記記録紙排出部から浸入した水滴を受け止めると共に、前記プリンタ部により印刷された前記記録紙の排出力によって回転して前記記録紙の前記記録紙排出部への経路を解放する防滴シャッタ部と、
前記プリンタ部により印刷された前記記録紙を前記防滴シャッタ部に誘導して前記防滴シャッタ部を回転動作させるための記録紙誘導部と、
を備えていることを特徴とする電子機器。
【請求項２】
前記防滴シャッタ部により受け止められた前記水滴を前記プリンタ部から回避させて前記機器本体の外部に排出させる水滴排出部を更に備えていることを特徴とする請求項１に記載の電子機器。
【請求項３】
前記防滴シャッタ部は、前記記録紙排出部に対応する位置に回転自在に設けられる防滴シャッタ板と、この防滴シャッタ板をその重心位置付近において回転自在に支持する支持軸とを備え、この支持軸を中心に前記防滴シャッタ板が前記記録紙排出部を閉じる方向に向けて回転することを特徴とする請求項１に記載の電子機器。
【請求項４】
前記記録紙誘導部は、前記記録紙排出部に対応する箇所における前記機器本体内に位置し、前記防滴シャッタ部が前記記録紙排出部を閉じた状態のときに前記防滴シャッタ部が接離可能に接触すると共に、前記防滴シャッタ部が接触する箇所に向けて前記プリンタ部により印刷された前記記録紙をガイドするガイドリブを備えていることを特徴とする請求項１または請求項２に記載の電子機器。
【請求項５】
前記防滴シャッタ部は、平板部の端部に傾斜部が前記記録紙排出部に向けて傾斜して設けられ、この傾斜部が前記記録紙排出部の下側に位置した状態で、前記傾斜部の先端部が前記ガイドリブに接離可能に接触する構成であることを特徴とする請求項４に記載の電子機器。
【請求項６】
前記記録紙誘導部は、前記防滴シャッタ部の前記傾斜部が接離可能に接触する前記ガイドリブと、前記ガイドリブに接離可能に接触する箇所に向けて前記プリンタ部により印刷された前記記録紙をガイドする前記防滴シャッタ部の前記傾斜部とを備えていることを特徴とする請求項５に記載の電子機器。
【発明の詳細な説明】
【技術分野】
【０００１】
この発明は、電子レジスタやコピー機などのプリンタ部を備えた電子機器に関し、更に詳しくは防滴機能を有する電子機器に関する。
【背景技術】
【０００２】
例えば、プリンタ部を備えた電子機器においては、特許文献１に記載されているように、機器本体内に設けられたプリンタ部で印刷情報が印刷された記録紙を機器本体の記録紙排出口から機器本体の外部に排出すると共に、この記録紙排出口に防滴構造を設け、この防滴構造によって記録紙排出口から機器本体内に水滴が浸入してプリンタ部に悪影響を与えないように構成されたものが知られている。
【先行技術文献】
【特許文献】
【０００３】
【特許文献１】特開２００４−１７４８３７号公報
【０００４】
このような電子機器における防滴構造としては、例えば記録紙排出口を開閉可能に塞ぐ防滴シャッタをモータなどの駆動源によって開閉移動させる駆動機構を備えた構造のもの、あるいはモータなどの駆動源を用いず、撥水性フィルムおよび親水性フィルムを用いて記録紙排出口から水滴の浸入を阻止する構造のものがある。
【０００５】
このような電子機器における防滴構造において、駆動源および駆動機構を備えた構造のものでは、構造が複雑でコストが高くなるという問題がある。一方、撥水性フィルムおよび親水性フィルムを用いた構造のものでは、モータなどの駆動源および防滴シャッタを開閉させるための駆動機構が不要であるから、低コスト化を図ることができる。
【０００６】
この場合、撥水性フィルムおよび親水性フィルムを用いた防滴構造は、記録紙排出口の一方の縁部に位置する機器本体にその上方に山形形状に突出する傾斜部を設け、この傾斜部に撥水性フィルムを設けると共に、記録紙排出口の他方の縁部に位置する機器本体上に記録紙排出口を覆う親水性フィルムを設け、この親水性フィルムの先端を撥水性フィルムに接触することなく、僅かな隙間を持たせて接近させた構成になっている。
【０００７】
このような電子機器の防滴構造では、親水性フィルムの上方に位置する傾斜部の撥水性フィルムに水滴が付着すると、その水滴が撥水性フィルムに沿って上から下に流れ、この流れ落ちた水滴が親水性フィルムの先端に接触すると、親水性フィルムに沿って流れることにより、記録紙排出口から水滴が機器本体内に浸入するのを防いでいる。
【発明の概要】
【発明が解決しようとする課題】
【０００８】
しかしながら、このような電子機器の防滴構造においては、記録紙排出口の一方の縁部に位置する機器本体上に突出して設けられた傾斜部に撥水性フィルムを設けると共に、記録紙排出口の他方の縁部に位置する機器本体上に記録紙排出口を覆う親水性フィルムを設けた構成であるから、プリンタ部によって印刷情報が印刷された記録紙が親水性フィルムを押し上げて親水性フィルムと撥水性フィルムとの間を通過するように、親水性フィルムの先端を撥水性フィルムに接触することなく、僅かな隙間を持たせて接近させた状態で配置しなければならない。
【０００９】
このため、このような電子機器の防滴構造では、機器本体に対する親水性フィルムの取付作業、およびその取付時における親水性フィルムと撥水性フィルムとの僅かな隙間の調整作業が必要であるばかりか、その調整作業が煩雑で面倒であるという問題がある。また、この防滴構造では、撥水性フィルムおよび親水性フィルムが機器本体の外部に露出しているため、機器本体の外観が損なわれるばかりか、撥水性フィルムおよび親水性フィルムに物がぶつかり易く、破損し易いため、耐衝撃性および耐久性にも問題がある。
【００１０】
この発明が解決しようとする課題は、簡単な構造で、防滴性に優れた電子機器を提供することである。
【課題を解決するための手段】
【００１１】
この発明の電子機器は、プリンタ部により印刷された記録紙を機器本体の外部に排出する記録紙排出部に対応する位置に回転自在に設けられ、前記記録紙排出部から浸入した水滴を受け止めると共に、前記プリンタ部により印刷された前記記録紙の排出力によって回転して前記記録紙の前記記録紙排出部への経路を解放する防滴シャッタ部と、前記プリンタ部により印刷された前記記録紙を前記防滴シャッタ部に誘導して前記防滴シャッタ部を回転動作させるための記録紙誘導部と、を備えていることを特徴とする。
【発明の効果】
【００１２】
この発明によれば、簡単な構造で、防滴性に優れた電子機器を提供することができる。
【図面の簡単な説明】
【００１３】
【図１】この発明を電子レジスタに適用した一実施形態を示した斜視図である。
【図２】図１に示された電子レジスタを背面側から見た斜視図である。
【図３】図１に示された電子レジスタの平面図である。
【図４】図１に示された電子レジスタの正面図である。
【図５】図４に示された電子レジスタを左側から見た側面を示し、（ａ）は機器本体に回転表示器を収納した状態を示した側面図、（ｂ）は機器本体の上方に回転表示器を引き上げた状態を示した側面図である。
【図６】図４に示された電子レジスタを右側から見た側面を示し、（ａ）は機器本体に入力表示ユニットを緩やかに傾斜させて配置した状態を示した側面図、（ｂ）は機器本体上に入力表示ユニットを後部上がりに起立させた状態を示した側面図である。
【図７】図３に示された電子レジスタのプリンタユニットのＡ−Ａ矢視における要部を示した拡大断面図である。
【図８】図７に示されたプリンタユニットにおいて、プリンタ部で印刷された記録紙が記録紙排出口から排出される状態を示した要部の拡大断面図である。
【図９】図７に示されたプリンタユニットにおいて、防滴シャッタ部および記録紙誘導部の付近を示した要部の拡大断面図である。
【図１０】図９に示されたプリンタユニットにおいて、記録紙が防滴シャッタ部を押し上げて記録紙排出口から排出される状態を示した要部の拡大断面図である。
【図１１】図９に示されたプリンタカバーにおける記録紙排出口付近を示した要部の拡大断面図である。
【図１２】図１１に示されたプリンタカバーを成形する成形用金型を示した要部の拡大断面図である。
【発明を実施するための形態】
【００１４】
以下、図１〜図１２を参照して、この発明を電子レジスタに適用した一実施形態について説明する。
この電子レジスタは、図１および図２に示すように、機器本体１を備えている。この機器本体１には、入力表示ユニット２、プリンタユニット３、および回転表示器４が搭載されている。
【００１５】
入力表示ユニット２は、図１および図２に示すように、ユニットケース５の上面にタッチ入力部６を設けたものであり、顧客が購入する商品の情報をオペレータがタッチ入力部６のタッチ操作によって入力するように構成されている。この場合、タッチ入力部６は、図示しないが、表示パネルの上面にタッチパネルを配置された構成になっている。
【００１６】
このタッチ入力部６は、図１および図２に示すように、表示パネルに表示された情報を見ながら、オペレータがタッチパネルをタッチ操作して、売買する商品の情報を入力すると共に、その入力された情報が表示パネルに表示されるように構成されている。この場合、ユニットケース５は、機器本体１上に、その一部分（図３では左側の一部分）を除いて前下がりに傾斜した状態で配置されている。
【００１７】
すなわち、機器本体１上には、図６（ａ）および図６（ｂ）に示すように、半円弧状の支持部７が設けられており、ユニットケース５の下面には、半円筒状の回転部８が設けられている。これにより、ユニットケース５は、その下面の半円筒状の回転部８が機器本体１上の半円弧状の支持部７上を前後方向に向けて回転移動することにより、後部（図６（ｂ）では右側）が競り上がって傾斜するように構成されている。
【００１８】
回転表示器４は、図１〜図５に示すように、表示ケース１０に情報を表示する表示部１１を設けたものであり、表示ケース１０が伸縮自在の支持部１２に水平方向に回転自在に支持され、この支持部１２によって機器本体１の背面に設けられた表示収納部９内に出没可能に配置されるように構成されている。
【００１９】
すなわち、この回転表示器４は、図５（ａ）および図５（ｂ）に示すように、支持部１２を上方に伸ばして表示ケース１０を機器本体１の上方に配置し、この状態で表示ケース１０を回転させることにより、表示部１１に表示された情報が顧客から見やすい方向を向くように構成されている。
【００２０】
プリンタユニット３は、図１〜図５に示すように、機器本体１上に開閉可能に配置されたプリンタカバー１３と、機器本体１の内部に設けられたプリンタ部１４とを備え、機器本体１における入力表示ユニット２の左隣に配置されている。プリンタカバー１３は、図１〜図５に示すように、入力表示ユニット２の上面とほぼ同じ高さで、且つ前下がりに傾斜した状態で、機器本体１上に配置されている。
【００２１】
プリンタ部１４は、図７および図８に示すように、印字部１４ａとプラテン部１４ｂとを備え、これらの間に送り込まれた記録紙１５に印刷情報を印刷するように構成されている。この場合、記録紙１５は、ロール紙であり、プリンタ部１４の近傍に位置する機器本体１内に設けられた記録紙収納部１６内に回転自在に収納されている。
【００２２】
この記録紙１５は、図８に示すように、記録紙収納部１６内からプリンタ部１４に送り込まれて印刷情報が印刷されると、プリンタカバー１３に設けられた記録紙排出口１７から機器本体１の外部に排出されるように構成されている。記録紙排出口１７は、図１〜図４に示すように、プリンタカバー１３の前後方向と直交する方向に細長く形成された開口部である。
【００２３】
すなわち、この記録紙１５は、図７および図８に示すように、プリンタ部１４のほぼ真上に位置するプリンタカバー１３の箇所、つまりプリンタ部１４の印字部１４ａとプラテン部１４ｂとの間に対応するプリンタカバー１３の箇所に設けられている。この場合、記録紙排出口１７における前後方向（図９では左右方向）に位置する各縁は、図９および図１０に示すように、プリンタカバー１３の上面側が広く、その下面側が狭くなる傾斜面１７ａにそれぞれ形成されている。このプリンタカバー１３および記録紙排出口１７によって記録紙排出部が構成されている。
【００２４】
ところで、このプリンタユニット３は、図７および図８に示すように、プリンタカバー１３の記録紙排出口１７から浸入した水滴を受け止める防滴シャッタ部１８と、プリンタ部１４によって印刷情報が印刷された記録紙１５を防滴シャッタ部１８に誘導する記録紙誘導部１９と、プリンタカバー１３の記録紙排出口１７から防滴シャッタ部１８に浸入した水滴を機器本体１の外部に導く水滴排出部２０とを備えている。
【００２５】
防滴シャッタ部１８は、図７〜図１０に示すように、機器本体１内における記録紙排出口１７の下側に回転自在に設けられ、且つ記録紙排出口１７を開閉自在に塞ぐと共に、プリンタ部１４により印刷された記録紙１５の排出力によって回転して記録紙１５を記録紙排出口１７に送り込むように構成されている。
【００２６】
すなわち、この防滴シャッタ部１８は、図７〜図１０に示すように、記録紙排出口１７を開閉自在に塞ぐための防滴シャッタ板２１と、この防滴シャッタ板２１をその重心位置付近において回転自在に支持する支持軸２２とを備え、防滴シャッタ板２１が支持軸２２を中心に上下方向に揺動する所謂シーソー構造に構成されている。
【００２７】
防滴シャッタ板２１は、図７〜図１０に示すように、記録紙排出口１７よりも少し大きい長方形状の平板を折り曲げたものであり、平板部２１ａと傾斜部２１ｂと両側の側板部２１ｃとを有している。すなわち、この防滴シャッタ板２１は、平板部２１ａの一端部（図９では左端部）に傾斜部２１ｂが上方に向けて傾斜した状態で設けられた構成になっている。
【００２８】
この場合、傾斜部２１ｂは、図７および図９に示すように、記録紙排出口１７の下側に対応して配置され、記録紙排出口１７から浸入した水滴を受け止めて平板部２１ａに流して一旦溜めるように構成されている。また、両側の側板部２１ｃは、図９および図１０に示すように、平板部２１ａと傾斜部２１ｂとの両側部（図９では紙面の表裏面方向に位置する両側部）にそれぞれ設けられている。
【００２９】
これにより、防滴シャッタ板２１は、図７および図９に示すように、プリンタカバー１３の記録紙排出口１７から浸入した水滴を平板部２１ａと傾斜部２１ｂと両側の側板部２１ｃとで囲われた領域内に一旦溜め、この溜まった水滴が平板部２１ａの前部（図９では右側）からプリンター部１４を回避して溢れ出すように構成されている。
【００３０】
このような防滴シャッタ板２１を支持する支持軸２２は、図７〜図１０に示すように、防滴シャッタ板２１の平板部２１ａにおける前後方向と直交する方向（図９では紙面の表裏面方向）に位置する両端部に突出して設けられ、この突出した部分がプリンタカバー１３の下面に設けられた一対の取付リブ２３に回転可能に取り付けられている。この場合、支持軸２２は、防滴シャッタ板２１をその重心位置付近において回転自在に支持することにより、防滴シャッタ板２１が上下方向に揺動するシーソー構造に構成されている。
【００３１】
すなわち、この支持軸２２は、図７〜図１０に示すように、防滴シャッタ板２１の重心位置から僅かに傾斜部２１ｂと反対側（図９では右側）に離れた位置に設けられていることにより、防滴シャッタ板２１の傾斜部２１ｂが常に記録紙排出口１７の下側に位置するように、防滴シャッタ板２１がその微妙な重量バランス、つまり防滴シャッタ板２１の僅かな重量の差によって、録紙排出口１７を閉じる方向（図９では反時計回り方向）に向けて回転するように構成されている。
【００３２】
一方、記録紙誘導部１９は、図７〜図１０に示すように、プリンタ部１４によって印刷情報が印刷された記録紙１５を防滴シャッタ部１８の防滴シャッタ板２１の下側に誘導し、この誘導した記録紙１５の排出力によって防滴シャッタ板２１を回転動作させるための複数のガイドリブ２４を備えている。
【００３３】
この複数のガイドリブ２４は、図７〜図１０に示すように、ほぼ三角形の縦板状をなし、プリンタカバー１３における記録紙排出口１７の一方（図９では左側）に位置する縁部の下面に対応する箇所に所定間隔で設けられ、防滴シャッタ板２１が記録紙排出口１７を閉じた状態のときに、防滴シャッタ板２１の傾斜部２１ｂの先端部（図９では右端部）が接離可能に接触するように構成されている。
【００３４】
この場合、複数のガイドリブ２４は、図９〜図１１に示すように、ほぼ三角形の縦板状の一辺である各前端面２４ａ（図１１では左側の端面）が、記録紙排出口１７における後部側（図１１では左側）の縁部に位置した状態で、プリンタカバー１３の下面に対してほぼ直角な状態で垂下された構成なっている。
【００３５】
すなわち、ガイドリブ２４の前端面２４ａは、図１１に示すように、プリンタカバー１３の記録紙排出口１７の縁部において、プリンタカバー１３の下面に対する角度（θ１）が、プリンタカバー１３の下面に対する鉛直方向（垂直方向）の直線（Ｓ）との角度（θ２）よりも少し小さく（θ１＜θ２）形成され、且つプリンタカバー１３の下面に対する角度（θ１）が９０度よりも少し大きく（θ１＞９０度）形成されている。
【００３６】
このため、複数のガイドリブ２４は、図１１に示すように、プリンタカバー１３が機器本体１上に前下がりに傾斜していることにより、各ガイドリブ２４の前端部２４ａがプリンタカバー１３の記録紙排出口１７の鉛直方向に対応する領域（E）内の外側（図１１では左側）に位置し、記録紙排出口１７から鉛直方向に滴下した水滴を防滴シャッタ板２１で受け止められるように構成されている。
【００３７】
これにより、防滴シャッタ部１８は、図７〜図１０に示すように、防滴シャッタ板２１がその微妙な重量バランスによって支持軸２２を中心に回転して記録紙排出口１７を閉じた際に、防滴シャッタ板２１の傾斜部２１ｂの先端部が複数のガイドリブ２４の各前端面２４ａに接離可能に接触し、これにより防滴シャッタ板２１の反時計回り方向の位置が規制されるよう構成されている。
【００３８】
また、この複数のガイドリブ２４は、図７〜図１０に示すように、プリンタ部１４で印刷された記録紙１５が各ガイドリブ２４の前端面２４ａに接触し、この接触した記録紙１５を各前端面２４ａによって上方に向けてガイドするように構成されている。これにより、複数のガイドリブ２４は、記録紙１５を防滴シャッタ板２１の傾斜部２１ｂの先端部に誘導し、この誘導した記録紙１５の排出力によって防滴シャッタ板２１を押し上げて回転させることにより、記録紙１５をガイドリブ２４の前端面２４ａと防滴シャッタ板２１の傾斜部２１ｂの先端部との間に送り込むように構成されている。
【００３９】
また、この記録紙誘導部１９は、図７〜図１０に示すように、プリンタカバー１３の下面に設けられて防滴シャッタ板２１の傾斜部２１ｂが接離可能に接触する複数のガイドリブ２４と、この複数のガイドリブ２４に接離可能に接触する防滴シャッタ板２１の傾斜部２１ｂとによって構成されている。
【００４０】
これにより、記録紙誘導部１９は、図８および図１０に示すように、プリンタ部１４で印刷された記録紙１５が防滴シャッタ部１８の防滴シャッタ板２１に誘導される際に、防滴シャッタ板２１の傾斜部２１ｂによっても、記録紙１５を傾斜部２１ｂの先端部に向けてガイドすることにより、記録紙１５をガイドリブ２４の前端面２４ａと防滴シャッタ板２１の傾斜部２１ｂの先端部との間に送り込むように構成されている。
【００４１】
また、水滴排出部２０は、図７および図８に示すように、プリンタ部１４の印字部１４ａとプラテン部１４ｂとの間を除いて、プリンタ部１４を覆うカバーケース２５と機器本体１の内壁との間に設けられた排出路である。この水滴排出部２０は、記録紙排出口１７から防滴シャッタ部１８の防滴シャッタ板２１上に浸入した水滴が防滴シャッタ板２１から流れ落ちた際に、その水滴をプリンタ部１４から回避させて機器本体１の下部から外部に導いて排出するように構成されている。
【００４２】
ところで、このような電子レジスタの記録紙排出部であるプリンタカバー１３を製作する場合について説明する。このプリンタカバー１３は、図１２に示すように、成型用金型２６によって成形されている。この成型用の金型２６は、上金型２７と下金型２８とを備えている。この上金型２７と下金型２８とは、そのパーティングラインＰＬがプリンタカバー１３の下面に沿って設定されている。
【００４３】
この場合、プリンタカバー１３に形成される複数のガイドリブ２４は、図１１に示すように、その前端面２４ａがプリンタカバー１３の下面に対する角度（θ１）が９０度よりも少し大きく形成されている。このため、上金型２７には、図１２に示すように、記録紙排出口１７を形成する第１形成突起部２７ａが下側に突出して設けられており、この第１形成突起部２７ａには、ガイドリブ２４の前端面２４ａを形成するための第２形成突起部２７ｂが記録紙排出口１７の下側に突出して設けられている。
【００４４】
これにより、成型用金型２６は、図１２に示すように、上金型２７と下金型２８とが上下に重なり合うと、その両者の内部にプリンタカバー１３に対応する空洞部（キャビティ）２９が形成されると共に、複数のガイドリブ２４に対応する空洞部（キャビティ）３０が形成される。そして、これらの空洞部２９、３０内に樹脂を注入した後に、上金型２７と下金型２８とを離型する。
【００４５】
このときには、図１２に示すように、ガイドリブ２４の前端面２４ａを形成するための上金型２７の第２形成突起部２７ｂが記録紙排出口１７に対応する箇所を通過することにより、上金型２７と下金型２８とが容易に離型する。これにより、複数のガイドリブ２４を有するプリンタカバー１３を成型用金型２６内から取り出すことができる。
【００４６】
次に、このような電子レジスタの作用について説明する。
この電子レジスタでは、オペレータが入力表示ユニット２のタッチ入力部６を操作して、顧客が購入する商品の値段や商品名などの情報を入力すると、その入力された情報がタッチ入力部６および回転表示器４の表示部１１に表示される。これにより、オペレータは入力表示ユニット２のタッチ入力部６に表示された情報を見て入力情報を確認することができると共に、顧客は回転表示器４の表示部１１に表示された情報を見て入力情報を確認することができる。
【００４７】
このようにオペレータがタッチ入力部６を操作して、表示された情報を記録紙１５に印刷してレシートとして発行する際には、機器本体１におけるプリンタユニット３の記録紙収納部１６に収納されたロール状の記録紙１５が、プリンタ部１４の印字部１４ａとプラテン部１４ｂとの間に順次送り込まれ、この送り込まれた記録紙１５に印刷情報がプリンタ部１４によって順次印刷され、このプリンタ部１４で印刷された記録紙１５がプリンタ部１４の上方に順次送り出される。
【００４８】
このようにプリンタ部１４で情報が印刷された記録紙１５は、記録紙誘導部１９によって防滴シャッタ部１８の下側に誘導される。すなわち、プリンタ部１４から送り出された記録紙１５は、記録紙誘導部１９の複数のガイドリブ２４と防滴シャッタ板２１の傾斜部２１ｂとの間に送り込まれる。このとき、記録紙１５は、ガイドリブ２４の前端面２４ａと防滴シャッタ板２１の傾斜部２１ｂとのいずれかに接触してガイドされ、ガイドリブ２４の前端面２４ａと防滴シャッタ板２１の傾斜部２１ｂの先端部との間に向けて送り込まれる。
【００４９】
このように、記録紙１５がガイドリブ２４の前端面２４ａと防滴シャッタ板２１の傾斜部２１ｂの先端部との間に送り込まれると、この送り込まれた記録紙１５の排出力によって防滴シャッタ板２１の傾斜部２１ｂが押し上げられるので、防滴シャッタ板２１が支持軸２２を中心に時計回りに回転して、傾斜部２１ｂの先端部がガイドリブ２４の前端面２４ａから離れる。
【００５０】
すなわち、防滴シャッタ板２１は、その重心位置から僅かに傾斜部２１ｂと反対側（図６では右側）にずれた位置で、支持軸２２によって回転可能に支持されていることにより、防滴シャッタ板２１の微妙な重量バランス、つまり防滴シャッタ板２１の僅かな重量の差によって、録紙排出口１７を閉じる方向に回転して、防滴シャッタ板２１の傾斜部２１ｂの先端部がガイドリブ２４の前端面２４ａに接触している。このため、プリンタ部１４から送り出された記録紙１５は、その排出力によって防滴シャッタ板２１の傾斜部２１ｂをガイドリブ２４の前端面２４ａから押し上げる。
【００５１】
これにより、防滴シャッタ板２１が支持軸２２を中心に時計回りに回転して、傾斜部２１ｂの先端部がガイドリブ２４の前端面２４ａから離れるので、傾斜部２１ｂの先端部とガイドリブ２４の前端面２４ａとの間に隙間が生じ、この隙間を記録紙１５が通り抜け、この通り抜けた記録紙１５がプリンタカバー１３の記録紙排出口１７からプリンタカバー１３の上方に排出される。この排出された記録紙１５は、レシートとして発行される。
【００５２】
一方、この電子レジスタでは、プリンタカバー１３上に水滴が垂れると、その水滴がプリンタカバー１３の記録紙排出口１７内に浸入することがある。すなわち、プリンタカバー１３は、機器本体１上に前下がりに傾斜して配置されているので、プリンタカバー１３の上面に垂れた水滴がプリンタカバー１３の上面を上側から下側に向けて流れ、記録紙排出口１７からプリンタカバー１３の内部に浸入することがある。
【００５３】
このように記録紙排出口１７からプリンタカバー１３の内部に水滴が浸入すると、この浸入した水滴は、防滴シャッタ部１８の防滴シャッタ板２１で受け止められる。すなわち、防滴シャッタ部１８は、その重心位置から僅かに傾斜部２１ｂと反対側（図９では右側）にずれた位置で、支持軸２２によって回転可能に支持されていることにより、防滴シャッタ板２１の微妙な重量バランスによって録紙排出口１７を閉じる方向に回転して、防滴シャッタ板２１の傾斜部２１ｂの先端部がガイドリブ２４の前端面２４ａに接触している。
【００５４】
このため、記録紙排出口１７からプリンタカバー１３の内部に浸入した水滴は、防滴シャッタ板２１の傾斜部２１ｂ上に滴下し、この傾斜部２１ｂから平板部２１ａに流れ、この平板部２１ａに流れた水滴が、傾斜部２１ｂと両側の側板部２１ｃとで囲われた部分内に溜まり、この溜まった水滴が平板部２１ａの前部（図９では右側部）から溢れて水滴排出部２０に流れ込み、この水滴排出部２０により機器本体１の外部に排出される。
【００５５】
この場合、水滴排出部２０は、プリンタ部１４の印字部１４ａとプラテン部１４ｂとの間を除いて、プリンタ部１４を覆うカバーケース２５と機器本体１の内壁との間に設けられた排水路である。これにより、記録紙排出口１７から防滴シャッタ板２１上に滴下した水滴は、防滴シャッタ板２１から流れ落ちる際に、プリンタ部１４を回避して、水滴排出部２０に流れ込み、この流れ込んだ水滴が水滴排出部２０によって機器本体１の下部に導かれて、機器本体１の下部から外部に排出される。
【００５６】
このように、この電子レジスタによれば、機器本体１内に設けられて印刷情報を記録紙１５に印刷するプリンタ部１４により印刷された記録紙１５を機器本体１の外部に排出するプリンタカバー１３の記録紙排出口１７と、この記録紙排出口１７の下側に回転自在に設けられ、且つ記録紙排出口１７を開閉自在に塞いで記録紙排出口１７から浸入した水滴を受け止めると共に、プリンタ部１４により印刷された記録紙１５の排出力によって回転して記録紙１５を記録紙排出口１７に送り込む防滴シャッタ部１８と、プリンタ部１４により印刷された記録紙１５を防滴シャッタ部１８に誘導する記録紙誘導部１９と、記録紙排出口１７から防滴シャッタ部１８に浸入した水滴を機器本体１の外部に導く水滴排出部２０と、を備えているので、簡単な構造で、防滴性に優れたものを提供することができる。
【００５７】
すなわち、この電子レジスタでは、記録紙排出口１７から機器本体１内に水滴が浸入すると、その水滴を防滴シャッタ部１８で受け止め、この防滴シャッタ部１８で受け止めた水滴を水滴排出部２０によって機器本体１の外部に排出させる際に、水滴排出部２０によって水滴をプリンタ部１４に浸入させることがなく、プリンタ部１４を回避して、良好に機器本体１の外部に排出することができ、これによりプリンタ部１４の防滴性を確保することができる。
【００５８】
また、この電子レジスタでは、プリンタ部１４で印刷情報が記録紙１５に印刷されると、その印刷された記録紙１５を記録紙誘導部１９によって防滴シャッタ部１８に誘導し、この誘導した記録紙１５の排出力によって防滴シャッタ部１８を回転動作させることができるので、モータなどの駆動源や特殊な駆動機構を用いずに、防滴シャッタ部１８を回転させて記録紙１５を記録紙排出口１７から良好に排出させることができる。
【００５９】
このため、この電子レジスタでは、モータなどの駆動源や特殊な駆動機構を用いていないため、構造が簡単で、防滴シャッタ部１８と水滴排出部２０とによって防滴性を確保することができると共に、防滴シャッタ部１８と水滴排出部２０とが機器本体１の外部に露出していないため、機器本体１の外観を損なうことがないばかりか、防滴シャッタ部１８および水滴排出部２０に物がぶつかって破損する恐れがないので、耐衝撃性および耐久性の向上を図ることができる。
【００６０】
この場合、防滴シャッタ部１８は、記録紙排出口１７を開閉自在に塞ぐ防滴シャッタ板２１と、この防滴シャッタ板２１をその重心位置付近において回転自在に支持する支持軸２２とを備え、この支持軸２２を中心に防滴シャッタ板２１がその微妙な重量バランスによって記録紙排出口１７を閉じる方向に向けて回転する構成であることにより、防滴シャッタ板２１を記録紙排出口１７の下側に確実に配置させて記録紙排出口１７を良好に塞ぐことができると共に、印刷された記録紙１５の排出力によって確実に且つ良好に防滴シャッタ板２１を回転させて記録紙１５を送り出すことができる。
【００６１】
すなわち、防滴シャッタ板２１は、その重心位置付近において支持軸２２に回転自在に支持されているので、この支持軸２２を中心に防滴シャッタ板２１をその微妙な重量バランス、つまり防滴シャッタ板２１の僅かな重量の差によって、記録紙排出口１７を閉じる方向に向けて回転させることができる。このため、防滴シャッタ板２１は、支持軸２２を中心に軽い力で回転するので、プリンタ部１４で印刷された記録紙１５の排出力である僅かな押上げ力によって、支持軸２２を中心に防滴シャッタ板２１を確実に且つ良好に回転させることができ、これにより記録紙１５を記録紙排出口１７に円滑に且つ良好に送り込むことができる。
【００６２】
また、この電子レジスタでは、記録紙誘導部１９が、記録紙排出口１７に対応する箇所における機器本体１内に位置し、防滴シャッタ板２１が記録紙排出口１７を閉じた状態のときに防滴シャッタ板２１の先端部が接離可能に接触すると共に、防滴シャッタ板２１の先端部が接触する箇所に向けてプリンタ部１４により印刷された記録紙１５をガイドする複数のガイドリブ２４を備えているので、プリンタ部１４で印刷された記録紙１５を複数のガイドリブ２４によって防滴シャッタ板２１の先端部と複数のガイドリブ２４との間に向けて確実に且つ良好にガイドすることができる。
【００６３】
この場合、複数のガイドリブ２４は、防滴シャッタ板２１が記録紙排出口１７を閉じた状態のときに、防滴シャッタ板２１の先端部が接離可能に接触することにより、防滴シャッタ板２１を記録紙排出口１７の下側に対応させた状態で確実に且つ安定した状態で位置規制することができ、これにより記録紙排出口１７から機器本体１内に水滴が浸入しても、その水滴を防滴シャッタ板２１によって確実に受け止めることができる。
【００６４】
また、この電子レジスタでは、防滴シャッタ板２１が、平板部２１ａの端部に傾斜部２１ｂを記録紙排出口１７に向けて傾斜させて設け、この傾斜部２１ｂを記録紙排出口１７の下側に位置させた状態で、傾斜部２１ｂの先端部をガイドリブ２４に接離可能に接触させる構成であることにより、防滴シャッタ板２１を記録紙排出口１７の下側に対応させた際に、防滴シャッタ板２１の傾斜部２１ｂを確実に記録紙排出口１７の下側に位置させることができ、これにより記録紙排出口１７から機器本体１内に水滴が浸入しても、その水滴を防滴シャッタ板２１の傾斜部２１ｂによって確実に受け止めて平板部２１ａ側に良好に流すことができる。
【００６５】
この場合、記録紙誘導部１９は、防滴シャッタ板２１の傾斜部２１ｂが接離可能に接触する複数のガイドリブ２４と、この複数のガイドリブ２４に接離可能に接触する防滴シャッタ板２１の傾斜部２１ｂとを備えた構成であることにより、プリンタ部１４で印刷された記録紙１５を複数のガイドリブ２４と防滴シャッタ板２１の傾斜部２１ｂとのいずれかによって、確実に且つ良好に防滴シャッタ板２１の傾斜部２１ｂと複数のガイドリブ２４との間にガイドすることができ、これにより印刷された記録紙１５の排出力によって確実に且つ良好に防滴シャッタ板２１を回転させて記録紙１５を送り出すことができる。
【００６６】
すなわち、この記録紙誘導部１９では、プリンタ部１４で印刷された記録紙１５を複数のガイドリブ２４によって防滴シャッタ板２１の傾斜部２１ｂと複数のガイドリブ２４との間にガイドすることができると共に、プリンタ部１４で印刷された記録紙１５を防滴シャッタ板２１の傾斜部２１ｂによっても防滴シャッタ板２１の傾斜部２１ｂと複数のガイドリブ２４との間にガイドすることができる。このため、プリンタ部１４で印刷された記録紙１５を確実に且つ良好に防滴シャッタ板２１の傾斜部２１ｂと複数のガイドリブ２４との間にガイドすることができる。
【００６７】
さらに、この電子レジスタでは、記録紙排出部が、プリンタ部１４の上方に位置する機器本体１上に傾斜した状態で配置されたプリンタカバー１３と、プリンタ部１４に対応するプリンタカバー１３の箇所に設けられた記録紙排出口１７とを備えているので、プリンタカバー１３の上面に滴下した水滴は、記録紙排出口１７を除いて、プリンタカバー１３の傾斜に沿って速やかに流れるので、プリンタカバー１３の上面に滴下した水滴を機器本体１の外部に良好に且つ確実に排出することができる。
【００６８】
この場合、記録紙誘導部１９の複数のガイドリブ２４は、図７に示すように、その各前端面２４ａがプリンタカバー１３の下面に対する角度（θ１）を、プリンタカバー１３の下面に対する鉛直方向の直線（Ｓ）の角度（θ２）よりも少し小さく形成し、且つプリンタカバー１３の下面に対する角度（θ１）を９０度よりも少し大きく形成しても、図１２に示すように、プリンタカバー１３を成形する成型用金型２６によって容易に成形することができる。
【００６９】
すなわち、この成型用金型２６は、上金型２７と下金型２８とを備え、そのパーティングラインＰＬをプリンタカバー１３の下面に沿って設定し、上金型２７に記録紙排出口１７を形成する第１形成突起部２７ａを設けると共に、この突起部２７ａに第２形成突起部２７ｂをガイドリブ２４の前端面２４ａに対応させて設けることにより、複数のガイドリブ２４の各前端面２４ａがプリンタカバー１３の下面に対する角度（θ１）を９０度よりも少し大きく形成しても、成型用金型２６によってプリンタカバー１３に複数のガイドリブ２４を確実に且つ良好に形成することができる。
【００７０】
なお、上述した実施形態では、複数のガイドリブ２４の各前端面２４ａがプリンタカバー１３の下面に対する角度（θ１）を９０度よりも少し大きく形成した場合について述べたが、必ずしもプリンタカバー１３の下面に対するガイドリブ２４の前端面２４ａの角度（θ１）を９０度よりも少し大きく形成する必要はなく、例えばプリンタカバー１３の下面に対するガイドリブ２４の前端面２４ａの角度（θ１）を９０度よりも小さく形成しても良い。
【００７１】
このようにガイドリブ２４を形成すれば、プリンタカバー１３を成型する際に、ガイドリブ２４の前端面２４ａに対する金型の抜き勾配を考慮する必要がなく、上述した実施形態の金型のような第２形成突起部を設ける不要ないため、金型の形状がシンプルなり、金型を容易に製作することができると共に、金型を安価に製作することができる。
【００７２】
また、上述した実施形態では、電子レジスタに適用した場合について述べたが、必ずしも電子レジスタに適用する必要はなく、例えばコピー機や、携帯情報端末機、あるいは現金自動払機など、プリンタ部を有する電子機器に広く適用することができる。
【００７３】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７４】
（付記）
請求項１に記載の発明は、機器本体と、この機器本体内に設けられて印刷情報を記録紙に印刷するプリンタ部と、このプリンタ部により印刷された記録紙を前記機器本体の外部に排出する記録紙排出部と、前記記録紙排出部の下側に回転自在に設けられ、且つ前記記録紙排出部を開閉自在に塞いで前記記録紙排出部から浸入した水滴を受け止めると共に、前記プリンタ部により印刷された前記記録紙の排出力によって回転して前記記録紙を前記記録紙排出部に送り込む防滴シャッタ部と、前記プリンタ部により印刷された前記記録紙を前記防滴シャッタ部に誘導し、この誘導した前記記録紙の排出力によって前記防滴シャッタ部を回転動作させるための記録紙誘導部と、前記記録紙排出部から前記防滴シャッタ部に浸入した水滴を前記プリンタ部から回避させて前記機器本体の外部に導く水滴排出部と、を備えていることを特徴とする電子機器である。
【００７５】
請求項２に記載の発明は、請求項１に記載の電子機器において、前記防滴シャッタ部は、前記記録紙排出部を開閉自在に塞ぐ防滴シャッタ板と、この防滴シャッタ板をその重心位置付近において回転自在に支持する支持軸とを備え、この支持軸を中心に前記防滴シャッタ板がその微妙な重量バランスによって前記記録紙排出部を閉じる方向に向けて回転することを特徴とする電子機器である。
【００７６】
請求項３に記載の発明は、請求項１または請求項２に記載の電子機器において、前記記録紙誘導部は、前記記録紙排出部に対応する箇所における前記機器本体内に位置し、前記防滴シャッタ部が前記記録紙排出部を閉じた状態のときに前記防滴シャッタ部が接離可能に接触すると共に、前記防滴シャッタ部が接触する箇所に向けて前記プリンタ部により印刷された前記記録紙をガイドするガイドリブを備えていることを特徴とする電子機器である。
【００７７】
請求項４に記載の発明は、請求項２〜請求項４のいずれかに記載の電子機器において、前記防滴シャッタ板は、平板部の端部に傾斜部が前記記録紙排出部に向けて傾斜して設けられ、この傾斜部が前記記録紙排出部の下側に位置した状態で、前記傾斜部の先端部が前記ガイドリブに接離可能に接触する構成であることを特徴とする電子機器である。
【００７８】
請求項５に記載の発明は、請求項４に記載の電子機器において、前記記録紙誘導部は、前記防滴シャッタ板の前記傾斜部が接離可能に接触する前記ガイドリブと、このガイドリブに接離可能に接触する箇所に向けて前記プリンタ部により印刷された前記記録紙をガイドする前記防滴シャッタ板の前記傾斜部とを備えていることを特徴とする電子機器である。
【符号の説明】
【００７９】
１  機器本体
３  プリンタユニット
１３  プリンタカバー
１４  プリンタ部
１５  記録紙
１６  記録紙収納部
１７  記録紙排出口
１８  防滴シャッタ部
１９  記録紙誘導部
２０  水滴排出部
２１  防滴シャッタ板
２１ａ  平板部
２１ｂ  傾斜部
２１ｃ  側板部
２２  支持軸
２３  取付リブ
２４  ガイドリブ
２４ａ  前端面
２５  カバーケース
【図１】
0006036945.tif 000002
【図２】
0006036945.tif 000003
【図３】
0006036945.tif 000004
【図４】
0006036945.tif 000005
【図５】
0006036945.tif 000006
【図６】
0006036945.tif 000007
【図７】
0006036945.tif 000008
【図８】
0006036945.tif 000009
【図９】
0006036945.tif 000010
【図１０】
0006036945.tif 000011
【図１１】
0006036945.tif 000012
【図１２】
0006036945.tif 000013